(57)【特許請求の範囲】
【請求項１】
ファン及びヒータを内蔵した本体ケースと、
前記本体ケースに設けられ、ダクトを嵌着可能とした排気アダプタとを備えた浴室暖房乾燥機において、
前記排気アダプタを合成樹脂で形成し、
前記本体ケースは、
前記排気アダプタに外嵌された前記ダクトを保持する金属製の保持片を設け、
前記保持片は、
前記本体ケースに取着されたアダプタカバーから前記排気アダプタの上部外周面に沿って延設したことを特徴とする浴室暖房乾燥機。
【請求項２】
前記排気アダプタの前記上部外周面に平面部を形成し、前記保持片を前記平面部に沿って延設される平板状としたことを特徴とする請求項１に記載の浴室暖房乾燥機。
【請求項３】
前記保持片は前記排気アダプタと前記ダクトの内周面との間に位置することを特徴とする請求項１または２に記載の浴室暖房乾燥機。
【発明の詳細な説明】
【技術分野】
【０００１】
本発明は、浴室の天井に設置され、浴室の換気・乾燥・暖房を行う浴室暖房乾燥機に関するものである。
【背景技術】
【０００２】
従来、浴室の天井には、浴室内の暖房や換気を行う浴室暖房乾燥機が設置されている（たとえば、特許文献１参照）。
【０００３】
浴室暖房乾燥機には、浴室内の空気を排出するために、天井面の上方でダクトが接続される。ダクトは、浴室暖房乾燥機の本体側面に突出される筒状の排気アダプタに接続される。
【０００４】
このような排気アダプタは、アルミニウム等の金属で形成される本体ケースの側面に筒状部分を一体に形成してダクトを接続可能としている。従って、材料コストが高くなるとともに、天井とダクトとの間隔を確保するために、排気アダプタを本体側面の中央から上方へオフセットした位置に形成する必要がある場合には、加工コストも上昇する。
【０００５】
そこで、合成樹脂で成形した筒状部分を備えることにより、材料コスト及び加工コストを低減するようにした排気アダプタが提案されている。
【先行技術文献】
【特許文献】
【０００６】
【特許文献１】特開２０１４−１８０３９４号公報
【発明の概要】
【発明が解決しようとする課題】
【０００７】
上記のように排気アダプタを合成樹脂で成形すると、浴室暖房乾燥機内でヒータが過熱した場合に、排気アダプタが変形して、ダクトを嵌合状態に保持できなくなる場合がある。
【０００８】
本発明は、上記課題を解決するためになされたものであって、その目的はダクトを排気アダプタに安定して保持可能とした浴室暖房乾燥機を提供することにある。
【課題を解決するための手段】
【０００９】
上記課題を解決する浴室暖房乾燥機は、ファン及びヒータを内蔵した本体ケースと、前記本体ケースに設けられ、ダクトを嵌着可能とした排気アダプタとを備えた浴室暖房乾燥機において、前記排気アダプタを合成樹脂で形成し、前記本体ケースは、前記排気アダプタに外嵌された前記ダクトを保持する金属製の保持片を設け、前記保持片は、前記本体ケースに取着されたアダプタカバーから前記排気アダプタの上部外周面に沿って延設したものであり、これにより所期の目的を達成するものである。
【発明の効果】
【００１０】
本発明の浴室暖房乾燥機によれば、ダクトを排気アダプタに安定して保持することができる。
【図面の簡単な説明】
【００１１】
【図１】本発明の実施の形態１の浴室暖房乾燥機の浴室を示す斜視図
【図２】同浴室暖房乾燥機の浴室暖房乾燥機を示す断面図
【図３】同浴室暖房乾燥機の浴室暖房乾燥機を示す斜視図
【図４】同浴室暖房乾燥機の排気アダプタを示す斜視図
【図５】同浴室暖房乾燥機のアダプタカバーを取り外した状態を示す斜視図
【図６】同浴室暖房乾燥機の排気アダプタ部の断面斜視図
【発明を実施するための形態】
【００１２】
以下、浴室暖房乾燥機の一実施形態を図面に従って説明する。
【００１３】
図１に示すように、浴室１の天井２には浴槽３の上方位置に浴室暖房乾燥機４が設置されている。
【００１４】
図２に示すように、浴室暖房乾燥機４は、本体ケース５の下面に、浴槽３に向かって露出されるフロントパネル６が取着されている。フロントパネル６の上方において、本体ケース５にはフランジ部７が形成され、そのフランジ部７及びフロントパネル６が天井面から下方へ露出される状態で本体ケース５が天井２内に設置される。
【００１５】
フランジ部７とフロントパネル６との間には、取り込み口８が形成される。浴室暖房乾燥機４は、取り込み口８から取り込んだ空気を、フロントパネル６の吹き出し口９から浴室１内に吹出する。また、浴室暖房乾燥機４は、取り込み口８から取り込んだ空気を、屋外に排出する。なお、取り込み口８から取り込んだ空気の一部を吹き出し口９から吹出し、残りの空気を屋外に排出することも可能である。
【００１６】
吹き出し口９には可動ルーバー１０が回動可能に支持され、吹き出し口９から吹き出される空気の吹き出し方向を調整可能となっている。
【００１７】
本体ケース５内の一側上部にはファンモータ１１が固定され、そのファンモータ１１の回転軸にはファン１２が回転軸と一体回転可能に固定されている。そして、ファン１２の回転に基づいて、浴室１内の空気が本体ケース５内に吸い込まれ、吸い込まれた空気はファン１２の周方向外側に向かって排出される。
【００１８】
ファン１２の側方には、ダンパ１３が配設されている。ダンパ１３は、切替モータ（図示しない）により、図２に実線で示す排気位置と、鎖線で示す循環位置との間で回動される。排気位置において、ダンパ１３は、ファン１２から排出される空気を排気アダプタ１４へと導く。排気アダプタ１４にはダクト１５が接続され、そのダクト１５を介して空気が屋外に排出される。
【００１９】
ダンパ１３が循環位置に回動されると、ファン１２から排出される空気が循環通路１６へ導かれる。循環通路１６には、その循環通路１６の一部を塞ぐようにヒータ１７が配設されている。ヒータ１７は、例えばセラミックヒータである。また、ヒータ１７の下流側に固定グリル１８が配設されている。
【００２０】
そして、ダンパ１３により循環通路１６へ導かれた空気は、ヒータ１７を通過して暖められた空気と、ヒータ１７を通過しない空気とが固定グリル１８を介して吹き出し口９へと導かれ、浴室１内に吹出される。排気アダプタ１４は、合成樹脂でダクト１５と密接させるために円筒状に形成されるとともに、その基端部が本体ケース５に固定され、先端側はダクト１５の嵌合を容易に可能とするように若干縮径されている。また、排気アダプタ１４の上部外周面には、平板状の金属製の保持片２０が密接するように、平面部２１が形成されている。金属製のアダプタカバー１９は、本体ケース５から突出される排気アダプタ１４の基端部を覆い、本体ケース５の側面に固定されている。
【００２１】
図３■図５に示すように、アダプタカバー１９には、排気アダプタ１４の上部外周面上において、排気アダプタ１４の軸方向に沿って延びる金属製の保持片２０が形成されている。保持片２０の形状は、基端部に比べ先端側を細長い形状（排気アダプタの吹出口から見てＴ字形状）とし、平板状の金属板に例えばプレスで型を抜き、抜いた後の保持片２０を略垂直にダクト１５側へ折り曲げて作製する。また、保持片２０の折り曲げられている箇所には、先端側に向かって方形状の貫通穴２２を設ける。また、平面部２１には、排気アダプタ１４にアダプタカバー１９を接続したときに貫通穴２２に嵌り込む位置に貫通穴２２に対応する方形状の突起部２３を設ける。貫通穴２２と突起部２３を設けることで、アダプタカバー１９を排気アダプタ１４に接続する際、貫通穴２２に突起部２３が嵌り込み、排気アダプタ１４にアダプタカバー１９を固定することができる。また、保持片２０を平板状とすることで保持片２０は、一枚の金属板を型に抜き折り曲げて容易に作製することができる。また、保持片２０は、先端側が基端部に比べ横幅が狭い形状となるので、ダクト１５と保持片２０との隙間を極力減少させることができ排気アダプタ１４とダクト１５との密着性を向上させることができる。
【００２２】
そして、排気アダプタ１４にダクト１５の先端部を嵌着すると、保持片２０は排気アダプタ１４とダクト１５の内周面との間に位置し、ダクト１５の内周面を下から支持する構成である。
【００２３】
次に、上記のように構成された浴室暖房乾燥機４の作用を説明する。
【００２４】
図２に実線で示すように、ダンパ１３が排気位置に回動されていると、ファン１２の作動により浴室１内の空気が本体ケース５内に吸入されて、ダクト１５を介して屋外に排出される。
【００２５】
図２に鎖線で示すように、ダンパ１３が循環位置に回動されていると、ファン１２の作動により浴室１内の空気が本体ケース５内に吸入され、循環通路１６からヒータ１７及び固定グリル１８を経て吹き出し口９から吹き出される。このとき、ヒータ１７の作動温度を調整することにより、浴室１内を適宜に暖房可能であるとともに、浴室１内の空気を乾燥させることも可能である。
【００２６】
ダクト１５の端部は、その内周面上部に保持片２０が位置している。従って、ヒータ１７の作動中にヒータ１７が過熱して、排気アダプタ１４が熱により変形しても、保持片２０は金属製のため変形しない。そのため、ダクト１５は保持片２０による支持が継続されるため、排気アダプタ１４から脱落することはない。
【００２７】
上記のような浴室暖房乾燥機４では、次に示す効果を得ることができる。
（１）排気アダプタ１４を合成樹脂で形成したので、製造コストを低減することができる。
（２）ヒータ１７の過熱により、排気アダプタ１４に変形が生じても、ダクト１５が保持片２０に支持され保持されているので、ダクト１５の排気アダプタ１４及び本体ケース５からの脱落を未然に防止することができる。
（３）保持片２０でダクト１５の径方向上縁部を保持しているので、排気アダプタ１４に変形が生じても、ダクト１５を初期位置に保持することができる。従って、排気アダプタ１４とダクト１５との位置ずれを抑制することができる。
（４）保持片２０は、排気アダプタ１４の上部外周面に形成された平面部２１に密接するように延設されるので、ダクト１５を排気アダプタ１４に円滑に嵌着することができるとともに、保持片２０を排気アダプタ１４とダクト１５との間に位置させることができる。
【００２８】
上記実施形態は、以下のように変更してもよい。
【００２９】
排気アダプタにダクトを嵌着した状態で、ダクトの下部外周面を保持するような保持片を設けてもよい。
【産業上の利用可能性】
【００３０】
本発明にかかる浴室暖房乾燥機は、浴室内の暖房、換気、浴室内の乾燥（たとえば、洗濯物の乾燥）に使用可能である。
【符号の説明】
【００３１】
１    浴室
２    天井
３    浴槽
４    浴室暖房乾燥機
５    本体ケース
６    フロントパネル
７    フランジ部
８    取り込み口
９    吹き出し口
１０    可動ルーバー
１１    ファンモータ
１２    ファン
１３    ダンパ
１４    排気アダプタ
１５    ダクト
１６    循環通路
１７    ヒータ
１８    固定グリル
１９    アダプタカバー
２０    保持片
２１    平面部
【図１】
0006695027.tif 000002
【図２】
0006695027.tif 000003
【図３】
0006695027.tif 000004
【図４】
0006695027.tif 000005
【図５】
0006695027.tif 000006
【図６】
0006695027.tif 000007